(57)【特許請求の範囲】
【請求項１】
自動車座席の背当て部の傾斜調節のための係止金具であって、
この係止金具が、金具上側部（１）および金具下側部（２）を有し、
これら金具部が共通の水平状態の旋回軸（３）の周りを相対して旋回可能に支承されており、且つこれら金具部の内の１つの金具部（１；２）が内歯（１ａ）を有し、
この内歯に、他方の金具部（１；２）において半径方向に摺動可能に案内され且つ均等に外周にわたって分配された、多数のブロック部材（４）の外歯（４ａ）が、係合可能に形成されており、
その際、この外歯（４ａ）が回転可能なカムディスク（５）の制御面（５ａ）によって、ばねの力に抗して、内歯（１ａ）と係合の状態で保持される様式の上記係止金具において、
これらブロック部材（４）が、全体として、相互いに隣接して且つ滑り面として形成された支持面（４ｂ；４ｃ）を介して、互いに支持し合っており、
その際、カムディスク（５）の制御面（５ａ）が、後退領域（５ｂ）によって相互に分離されており、且つそれぞれ２つの隣接する、異なるブロック部材（４）が、共通の制御面（５ａ）に当接することを特徴とする係止金具。
【請求項２】
それぞれのブロック部材（４）は、ブロック状態において、互いに角度をもって位置ずれしているカムディスク（５）の２つの制御面（５ａ）に支持されていることを特徴とする請求項１に記載の係止金具。
【請求項３】
制御面（５ａ）は、第１の角度領域わたって旋回軸（３）の周りに一定の半径を有する案内領域（５ｃ）を有し、第２のこの第１の角度領域に引続いた角度領域にわたって旋回軸（３）に対して偏心的に延在する偏心領域（５ｄ）を有していることを特徴とする請求項１または２に記載の係止金具。
【請求項４】
ブロック部材（４）は、カムディスク（５）の回転を解放方向において制限するストッパー面（４ｅ）を有することを特徴とする請求項１から３のいずれか一つに記載の係止金具。
【請求項５】
それぞれのブロック部材（４）は、外歯（４ａ）と反対側の、内側にある端部において、隣接するブロック部材（４）とカムディスク（５）との間で保持されていることを特徴とする請求項１から４のいずれか一つに記載の係止金具。
【請求項６】
カムディスク（５）と隣接するブロック部材（４）との間に保持される、ブロック部材（４）の端部は、外歯（４ａ）への方向に円錐形に先細りに形成されていることを特徴とする請求項１から５のいずれか一つに記載の係止金具。
【請求項７】
４つのブロック部材（４）は、外周にわたって均等に分配され、金具部（２）に半径方向に摺動可能に案内されていることを特徴とする請求項１から６のいずれか一つに記載の係止金具。
【請求項８】
支持面（４ｂ；４ｃ）は、ブロック部材（４）の移動方向に対して傾けられて設けられるくさび形の面として形成されていることを特徴とする請求項１から７のいずれか一つに記載の係止金具。
【発明の詳細な説明】
【０００１】
【発明の属する技術分野】
本発明は、請求項１の上位概念による係止金具に関する。
【０００２】
【従来の技術】
公知として前提とされる様式の係止金具（フランス共和国特許公開第２５  ７８  ６０２号明細書）の場合、３つの外側に歯付けされたブロック部材が設けられており、これらブロック部材は、ブロック状態において、これらブロック部材の外歯によって他方の金具部の内歯に係合し、且つカムディスクの３つの制御面に支持されている。これらブロック部材は、一方の金具部の遊隙を有する滑り案内部内において、半径方向に摺動可能に案内されている。この必要な遊隙は、衝突の場合に、結果としてこれらブロック部材の傾倒を招く。このことは、向かい側の位置にある内歯から、これらブロック部材の外歯の部分的な浮かび上がりを導き、その結果この金具は滑動する。
【０００３】
【発明が解決しようとする課題】
従って、この公知技術を出発点として、本発明の根底をなす課題は、公知として前提とされる様式の係止金具を、係止金具の有歯部が、衝突の場合にも、互いに確実に係合の状態で保持されるように改良することである。
【０００４】
【課題を解決するための手段】
この課題は、本発明の請求項１の特徴によって解決される。
【０００５】
摺動可能なブロック部材の相互の支持は、これらブロック部材の傾倒を防止する。更にこれらブロック部材は、比較的に確実に、制御面に対する当接状態において保持され、この制御面からこれらブロック部材が滑り落ちることはない。
【０００６】
本発明の有利な実施形態は、下位の請求項２から請求項８により明らかである。
【０００７】
有利な構成において、ブロック部材は、ブロックされた状態において付加的に、カムディスクの制御面の案内領域とブロック部材の支持面との間に保持される。このことは、滑動に対して付加的な安定を提供する。
【０００８】
【発明の実施の形態】
次に、本発明の実施の形態を、図に基づいて詳しく説明する。自動車座席は、背当て部の傾斜調節のために係止金具を有している。この背当て部は、走行方向のばねによって予負荷され、従ってこの背当て部は、係止金具の解放の場合、旋回軸３の周りをこの背当て部の直立した状態に旋回する。この直立した状態から、この背当て部は、座席使用者の背中部によって所望された傾斜へと押圧される。この状態において、この背当て部は、この係止金具によって新たにロックされる。この自動車座席の両方の側面に、それぞれ１つの係止金具が設けられており、この係止金具が向かい側の位置にある係止金具と連行装置６によって結合されている。
【０００９】
図１において、ただ座席側面上の係止金具だけが図示されている。この係止金具は、この係止金具の金具上側部１によって背当て部と、および金具下側部２によって座部と強固に結合されている。この金具上側部１は、旋回軸３に対して同心的に内歯１ａを有し、この内歯に、ブロック部材４が円弧状に延在する外歯４ａによって係合している。
【００１０】
ブロック部材４は、互いに向かい合わせの案内面２ａの間で半径方向に摺動可能に案内される。これら案内面２ａは、案内セグメント２ｂに設けられており、これら案内セグメントが金具下側部２と一体的に形成されている。これらブロック部材４の外歯４ａは、図において図示されていないばねによって、内歯１ａと係脱状態に保持される。旋回軸３の周りを回転可能なカムディスク５によって、これら外歯は、内歯１ａと係合の状態にされる。そのために、このカムディスク５は、ブロック部材４の数に相応する数の制御面５ａを備えている。これら制御面５ａは、後退領域５ｂによって相互に分離されている。それぞれの制御面５ａは、案内領域５ｃおよび偏心領域５ｄに分割されている。
【００１１】
係止金具は、４つのブロック部材４を備えられており、これらブロック部材の内のそれぞれ２つのブロック部材が、互いに直径方向で相対して位置している。これらブロック部材４は、相手方側面４ｄを有し、これら相手方側面が、図３に図示されたロックされた係止金具の状態において、制御面５ａに当接する。相手方側面４ｄへの接続部においてストッパー面４ｅが設けられており、このストッパー面は、カムディスク５の回転を回転方向において制限する。それぞれのブロック部材４は、突起部を有し、この突起部がカムディスク５を部分的に囲繞している。外歯４ａと反対側の端部において、このブロック部材４は、支持面４ｃを有し、この支持面４ｃが、隣接するブロック部材４の窪み部４ｆによって形成された支持面４ｂに支持される。特に、これら支持面４ｂおよび４ｃは、ブロック部材４の移動方向に対して４５度の角度のもとで設けられ、且つ滑り面として形成されている。
【００１２】
ロックされた状態において、これらブロック部材４のそれぞれの支持面４ｃを有する端部は、後続している制御面５ａの案内領域５ｃに当接する。従って、このブロック部材４は、隣接する案内セグメント２ｂの互いに向かい側の位置にある案内面２ａ間で、および案内領域５ｃと支持面４ｂの間で案内される。これによって、係止装置の安定性は、著しく増大される。ロックされた状態において、衝突の場合に生じる負荷においても、ブロック部材４は、もはや外れることはない。
【００１３】
係止装置は、連行装置６に固定されている図示されていない操作レバーによって解放される。この連行装置６によって、カムディスク５は、時計方向とは逆に旋回軸３の周りを回転する。相手方側面４ｄが後退領域５ｂ内に達する場合、従ってこの相手方側面はもはや偏心領域５ｄに当接せず、ブロック部材４がばね力によって内歯１ａから引き戻される。このことは、全てのブロック部材４に関して同時に行なわれるので、背当て部は旋回軸３の周りを所望の傾斜に旋回できる。
【００１４】
時計方向にカムディスク５を回転することによって、背当て部は、新しい状態に再び係止される。その際、偏心領域５ｄは相手方側面４ｄの下に入り込み、従ってブロック部材４が外側へと摺動される。全てのブロック部材４は、単に同時に摺動される。何故ならば、これらブロック部材が、カムディスク５を介して結合されている以外に、同様に支持面４ｂおよび４ｃを介して互いに結合されているからである。カムディスク５の回転方向に従う制御面５ａは、この制御面の案内領域５ｃによって、歯付けされていないブロック部材４の端部に当接し、且つ支持面４ｂおよび４ｃを接し合うように押圧する。従って、この係止金具は、再び強固にロックされる。
【図面の簡単な説明】
【図１】ロックが外された係止金具の断面図である。
【図２】終端状態における、係止金具のロックカムを有する、図１によるロックが外された係止金具の断面図である。
【図３】ロック状態における、図１による係止金具の断面図である。
【図４】図３による係止金具の拡大された部分図である。
【図５】図１による係止金具のブロック部材の図である。
【符号の説明】
１    金具上側部
１ａ  内歯
２    金具下側部
２ａ  案内面
２ｂ  案内セグメント
３    旋回軸
４    ブロック部材
４ａ  外歯
４ｂ  支持面
４ｃ  支持面
４ｄ  相手方側面
４ｅ  ストッパー面
４ｆ  窪み部
５    カムディスク
５ａ  制御面
５ｂ  後退領域
５ｃ  案内領域
５ｄ  偏心領域
６    連行装置
【図１】
0003633890.tif 000002
【図２】
0003633890.tif 000003
【図３】
0003633890.tif 000004
【図４】
0003633890.tif 000005
【図５】
0003633890.tif 000006